(57)【要約】【課題】  玄関部前には充分な明るさを供給しつつ、共用廊下側である外側には、まぶしさを抑えた暖かみのある明るさを供給することのできる照明付き門柱構造を提供することにある。【解決手段】  集合住宅における各住戸の玄関前に立設される照明付きの門柱構造であって、相対向する位置に立設される正面視略縦長矩形の両側壁３と、各両側壁３の前端部間に設置される前壁２とを備えた断面略Ｕ字型の門柱本体１と、門柱本体１内部の上方側に設置されて、下方に向かって光を照射する照明装置５と、半透明材料からなり、門柱本体１の下方に設置されて照明装置５からの光を透光する透光部１０とを具備している。【選択図】  図３
2005281966.tif 000002
【特許請求の範囲】
【請求項１】
集合住宅における各住戸の玄関前に立設される照明付きの門柱構造であって、
相対向する位置に立設される正面視略縦長矩形の一対の側面壁と、各両側壁の前端部間に設置される前壁とを備えた横断面略Ｕ字型の門柱本体と、
前記門柱本体内部の上方側に設置されて、下方に向かって光を照射する照明装置とを具備し、
前記前壁は、前記照明装置が設置される部位より下方に半透明材料からなる透光部が形成されてなることを特徴とする照明付きの門柱構造。
【請求項２】
前記透光部は、前記門柱本体に着脱可能に形成されていることを特徴とする請求項１に記載の照明付きの門柱構造。
【発明の詳細な説明】
【技術分野】
【０００１】
本発明は、集合住宅における各住戸の玄関前に設置する照明付きの門柱構造に関するものであり、より詳細には、屋内のアルコーブスペースに設置するような照明付きの門柱構造に関するものである。
【背景技術】
【０００２】
近年、マンションのような中・高層の集合住宅では、共用廊下から各住戸の玄関部を少し引き込んでアルコーブスペースを設けるものが増加しており、これにより、玄関ドアを開けたときにも室内の様子が見えにくく、プライバシーの保護を図ることができ、また、玄関周りに戸建のようなゆとりの空間が生じる。しかしその一方で、各住戸の玄関部は共用廊下より少し引き込んでいるため、共用廊下用に設けた照明のみでは、玄関部前の明るさが充分ではないという問題を有し、玄関部の引き込み具合が大きいほどこの問題が顕著となる。そのため、このようなアルコーブスペースに照明付きの門柱を設置するニーズも存在するが、従来の屋外に設置するような照明付きの門柱構造、例えば図５に示すような、門柱本体３１の上部に光源３２を設けた門柱構造をそのままアルコーブスペースに設置したのでは、玄関部前の暗さが解消できる一方で、光源３２から照射される光が過度に明るいため、共用廊下を通行する際にまぶしさを感じてしまうという問題があった（特許文献１）。
【特許文献１】特開２００２−２１４５３号公報
【発明の開示】
【発明が解決しようとする課題】
【０００３】
本発明は、このような点に鑑みてなされたものであり、その目的とするところは、玄関部前には充分な明るさを供給しつつ、共用廊下側である外側には、まぶしさを抑えた明るさを供給することのできる照明付き門柱構造を提供することである。
【課題を解決するための手段】
【０００４】
上記した課題を解決するために、本発明の請求項１に係る照明付きの門柱構造は、集合住宅における各住戸の玄関前に立設される照明付きの門柱構造であって、相対向する位置に立設される正面視略縦長矩形の一対の側面壁と、各両側壁の前端部間に設置される前壁とを備えた横断面略Ｕ字型の門柱本体と、前記門柱本体内部の上方側に設置されて、下方に向かって光を照射する照明装置とを具備し、前記前壁は、前記照明装置が設置される部位より下方に半透明材料からなる透光部が形成されてなることを特徴とする。
【０００５】
本発明の請求項２に係る照明付きの門柱構造は、前記透光部は、前記門柱本体に着脱可能に形成されていることを特徴とする。
【発明の効果】
【０００６】
本発明の請求項１に係る照明付きの門柱構造によると、断面略Ｕ字型の門柱本体と、門柱本体内部の上方側に設置されて、下方に向かって光を照射する照明装置とを具備するので、照明装置から下方の門柱本体内部及び門柱本体より後方のエリアである玄関部前には、この照明装置からの光が直接照射されて、玄関部前に必要とされる明るさを確保することができる。また、半透明材料からなり、前記門柱本体の下方に設置されて上記照明装置からの光を透光する透光部を具備するので、透光部から前方に透光される光は、半透明の透光部を介しているため、まぶしさを抑えた暖かみのあるものとなる。
【０００７】
本発明の請求項２に係る照明付きの門柱構造によると、請求項１に記載の効果に加えて、前記透光部が、前記門柱本体に着脱可能に形成されているので、透光部が損傷や劣化した場合であっても取換えが容易であり、また、色目や模様のようなデザインの異なる透光部や、透明度の異なる透光部にも取換えが容易である。
【発明を実施するための最良の形態】
【０００８】
本発明の実施形態を図１乃至図４に基づいて説明する。図１は、本実施形態における照明付きの門柱構造の設置位置を示す説明図であり、図２は、本実施形態における照明付きの門柱構造の（ａ）上面図、（ｂ）正面図、（ｃ）側面図からなる三面図である。また、図３及び図４は、それぞれ本実施形態における照明付きの門柱構造の前方及び後方から見た概要を示す斜視図である。図１乃至図４において、１は門柱本体、２は前壁上部、２ａは上段部、２ｂはインターホン設置用孔、３は両側壁、３ａは左右段部、４は上壁、５は照明装置、６は電球、７は照明カサ部、８は前壁下部、８ａは下段部、９は表札設置用板、１０は透光部、１１は第１の固定用部材、１２は第２の固定用部材、１３は係止具、１４は新聞差込口、１５は補助部材、１６はインターホン、１７は背板、２０は前壁、Ａは傘、Ｃは共用廊下、Ｅは玄関、Ｇは照明付きの門柱構造、Ｎは新聞紙、Ｒは住戸、Ｓはアルコーブスペースである。なお、以下の実施形態において、共用廊下Ｃに近い方を「前方」、門柱本体１より玄関部Ｅに近い方を「後方」とする。
【０００９】
本実施形態における照明付きの門柱構造Ｇは、図１に示すように、集合住宅における各住戸Ｒの玄関Ｅ前に形成されたアルコーブスペースＳ内の所定の位置に立設される。この立設される位置は、共用廊下Ｃや玄関Ｅまでの距離及びアルコーブスペースＳの広さ等を考慮して決定される。
【００１０】
また、図２乃至図４に示すように、本実施形態における照明付きの門柱構造Ｇは、一対の両側壁３と、両側壁３の前端部間に設置される前壁２０と、両側壁３及び前壁２０の上端を閉塞する上壁４を備えた断面略Ｕ字型の門柱本体１と、門柱本体１内部の上方側に設置されて、下方に向かって光を照射する照明装置５とを具備している。
【００１１】
前壁２０は、上部に形成される前壁上部２と、下部に形成される前壁下部８と、前壁上部２と前壁下部８間に形成される透光部１０とから構成される。前壁上部２は、ステンレス鋼鈑からなる略矩形の平板状部材であり、その下端には透光部１０の上端部を嵌め込むために前方に突出する上段部２ａが形成されている。この前壁上部２の中心部やや上方には、厚さ方向に貫通する略円形のインターホン設置用孔２ｂが形成されており、前面側にはインターホン１６が設置され、インターホン１６の配線等は、インターホン設置用孔２ｂに挿通させて門柱本体１の内部に収納される。
【００１２】
また、前壁下部８は、前壁上部２と同様にステンレス鋼鈑からなる略矩形の平板状部材であって、前壁上部２と略同一幅であり、高さ方向の辺長さは前壁上部２に比べて十分に小さくなるように形成されている。この前壁下部８の上端には、透光部１０の下端部を嵌め込むために前方に突出する下段部８ａが形成されている。
【００１３】
透光部１０は、アクリルやポリカーボネート、ガラス、透明板材にアクリルフィルムを貼付けたもの等からなる半透明の透光板で、前壁上部２や前壁下部８と略同一幅に形成されている。
【００１４】
両側壁３はアルミニウム合金からなる断面略矩形の板状の押出し棒材であって、一対の両側壁３の前端の相対向するコーナー部には、前壁上部２、前壁下部８及び透光部１０のそれぞれの側端部を嵌め込むための左右段部３ａが全長にわたって形成されている。
【００１５】
この一対の両側壁３の前端は、左右段部３ａの上部に前壁上部２が嵌め込まれて結合され、下部に前壁下部８嵌め込まれて結合され、前壁の中央部は開放された状態となっている。この中央部に、透光板の四辺をそれぞれ左右段部３ａ、上段部２ａ、下段部８ａが受けるように透光板を嵌め込んで、図３に示すように、裏側から第１の固定用部材１１を当てて係止具１３にて透光板の下側を両側壁３及び前壁下部８に螺子止め固定し、同じく裏側から第２の固定用部材１２を当てて係止具１３にて透光板の上側を両側壁３及び前壁上部２に螺子止め固定して透光部１０が形成される。このような構成とすることにより、透光部１０は門柱本体１に対して着脱可能となり、固定用部材１１、１２の螺子止めを外すことにより、透光部１０を門柱本体１から容易に取り外すことができる。
【００１６】
上壁４は、両側壁３及び前壁２０の上端面に固定設置され、上壁４と前壁上部２の上端との間には空間が形成されており、この空間に表札設置用板９が設置される。この表札設置用板９は、傾斜角が鈍角になるよう金属板材が屈曲された断面Ｌ字型の板材で、一方の面が上壁４の下面側略中央部に固定され、他方の面が前方かつ下方に向かって傾斜している。この傾斜している他方の面の中央部には表札を設置するための開口が形成されている。また、金属板材からなる背板１７が上壁４の下面側に固定されて垂下し、後方から表札設置用板９を保護している。
【００１７】
透光部１０には、扇型の開口である新聞差込口１４が形成されている。この新聞差込口１４の開口の大きさは、折り畳んだ新聞を挿通させて保持することができる程度の大きさに形成されている。また、両側壁３の後方側の、透光部１０の新聞差込口１４の下端部と略同一の高さには、略水平方向に丸棒状の補助部材１５が架設されている。このように、透光部１０に新聞差込口１４を設けることにより、この新聞差込口１４に新聞Ｎを差し込んで、保持することができる。そのため、透光部１０自身が新聞受けの機能を果たし、門柱や玄関口に新聞受け装置を別途設置する必要がなくななり、コストの削減やより狭い設置スペースにも対応することができる。また、新聞差込口１４の後部に補助部材１５が設置されているため、新聞差込口１４に差し込まれた新聞Ｎを安定して保持することができる。さらに、照明装置５を点灯させることにより、新聞差込口１４にも照明装置の光が照射されるので、新聞配達人は適度な明るさの元で、容易に新聞差込口１４を認識することができ、居住者も新聞Ｎが新聞差込口１４に差し込まれたことを速やかに認識することができる。
【００１８】
また、図４に示すように、この補助部材１５は、傘掛けとしても使用することができ、門柱や玄関口に別途傘掛けや傘置きを設置する必要がなくなり、コストの削減やより狭い設置スペースにも対応することができる。
【００１９】
照明装置５は、内外側に略四分の一球状壁面を有し、内側には反射板が形成されている金属製の照明カサ部７と照明カサ部７の内面側上方に設置されて、点灯・消灯の切換制御が可能な電球６とから構成される。この照明装置５は、照明カサ部７の外面側の平面部分で、前壁２の内部側に、下方かつやや後方を向いて固定されている。照明装置５を点灯させることにより、電球６の光は、直接もしくは照明カサ部７内側の反射板で反射されて下方に照射される。
【００２０】
以上のような構成の照明付きの門柱構造とすることで、照明装置５を点灯すると、その光は下方や下方かつやや後方に向かって照射され、照明装置５から下方の門柱本体１内及び門柱本体１より後方の玄関Ｅ前には、この照明装置５からの光が直接照射されて、玄関Ｅ前に必要とされる明るさを確保することができる。一方、透光部１０から前方に透光される光は、半透明の透光部１０を介しているため、まぶしさを抑えた暖かみのあるものとなる。
【００２１】
また、上述したように、透光部１０は門柱本体１に対して着脱可能に形成されているため、透光部１０が損傷や劣化した場合であっても取換えが容易であり、また、色目や模様のようなデザインや、透明度の異なる透光部１０にも取換えが容易であり、透光部１０を取り替えて、所望の色や波長を有した光を得ることができる。
【００２２】
なお、本実施形態においては、透光部１０は前壁２と前壁下部８との間に配置されるものであったが、これに限定されるものではなく、前壁下部８を備えていないもの、すなわち、前面側には前壁２と透光部１０のみから構成されるものであってもよい。
【００２３】
また、門柱本体１の材質は、本実施形態に用いられるものに限定されるものではなく、門柱として用いることができる公知の材質が好適に用いられる。
【図面の簡単な説明】
【００２４】
【図１】本発明の実施形態における照明付きの門柱構造の設置位置を示す説明図である。
【図２】本発明の実施形態における照明付きの門柱構造の三面図であり、（ａ）は上面図、（ｂ）は正面図、（ｃ）側面図である。
【図３】本発明の実施形態における照明付きの門柱構造の前方側から見た概要を示す斜視図である。
【図４】本発明の実施形態における照明付きの門柱構造の後方側から見た概要を示す斜視図である。
【図５】従来例を示す斜視図である。
【符号の説明】
【００２５】
１    門柱本体
２    前壁
３    両側壁
５    照明装置
１０  透光部
【図１】
2005281966.tif 000003
【図２】
2005281966.tif 000004
【図３】
2005281966.tif 000005
【図４】
2005281966.tif 000006
【図５】
2005281966.tif 000007